(57)【要約】【課題】使用者による操作を伴わずに通信相手装置に情報を送信するときに、通信相手装置への情報の送信を制限することができる通信装置および通信方法を提供する。【解決手段】通信装置１は、移動体３に搭載され、通信部を介して通信端末装置２と通信可能に接続される。アドレスブック情報記憶部３１には、プライバシー設定情報を含むアドレスブック情報が記憶される。プライバシー設定情報は、通信相手装置４に提供可能な提供可能情報の送信の可否を表す。主制御部１０のＴＥＬアプリ実行部１１は、移動体３の外部の通信相手装置４からの着信を検出すると、自動応答処理を行うか否かを判断する。自動応答処理を行うと判断された場合、プライバシー設定情報に基づいて、通信相手装置４に送信する情報が決定され、通信部から通信端末装置２を介して通信相手装置４に送信される。【選択図】図１
2014230197.tif 000002
【特許請求の範囲】
【請求項１】
移動体に搭載される通信装置であって、
通信端末装置と通信可能に接続され、前記通信端末装置を介して、前記移動体の外部の通信相手装置と通信可能な通信部と、
前記通信部を介して前記通信端末装置と前記通信相手装置との通信を制御する制御部と、
前記通信相手装置に提供可能な提供可能情報の送信の可否を表すプライバシー設定情報を記憶する記憶部とを備え、
前記制御部は、
前記通信相手装置からの着信を検出すると、予め定める自動応答処理を行うか否かを判断し、
前記自動応答処理を行うと判断した場合、前記記憶部に記憶される前記プライバシー設定情報に基づいて、前記通信相手装置に送信する前記提供可能情報を決定し、
決定した前記提供可能情報を、前記通信部から前記通信端末装置を介して前記通信相手装置に送信させることを特徴とする通信装置。
【請求項２】
前記制御部は、
前記自動応答処理を行うと判断した場合、前記通信相手装置から前記提供可能情報の送信が要求されたか否かを判断し、
前記提供可能情報の送信が要求されたと判断すると、前記プライバシー設定情報に基づいて、前記通信相手装置から送信が要求された前記提供可能情報の送信の可否を判断し、
前記通信相手装置から送信が要求された前記提供可能情報の送信が可能であると判断すると、前記通信相手装置から送信が要求された前記提供可能情報を、前記通信相手装置に送信する前記提供可能情報として決定することを特徴とする請求項１に記載の通信装置。
【請求項３】
前記プライバシー設定情報は、前記通信相手装置に送信可能な前記提供可能情報の名称、および前記通信相手装置に送信不可能な前記提供可能情報の名称のうち、少なくとも一方を含むことを特徴とする請求項１または２に記載の通信装置。
【請求項４】
前記記憶部は、登録対象の名称および連絡先の少なくとも一方を含むアドレス情報が前記登録対象毎に記憶されたアドレスブック情報を記憶し、
前記プライバシー設定情報は、前記登録対象に関連付けて、前記アドレスブック情報に記憶されることを特徴とする請求項１〜３のいずれか１つに記載の通信装置。
【請求項５】
前記プライバシー設定情報は、前記通信相手装置に応じて設定されることを特徴とする請求項１〜４のいずれか１つに記載の通信装置。
【請求項６】
前記提供可能情報は、前記移動体の現在地を表す現在地情報、前記移動体の目的地を表す目的地情報、前記移動体の目的地への到着予定時刻を表す到着予定時刻情報、および前記移動体に関係する画像情報のうち、少なくとも１つを含むことを特徴とする請求項１〜５のいずれか１つに記載の通信装置。
【請求項７】
前記通信相手装置から送信される音声データを認識可能な音声認識部を備え、
前記制御部は、前記音声認識部による前記音声データの認識結果に基づいて、前記通信相手装置から前記提供可能情報の送信が要求されたか否かを判断することを特徴とする請求項２に記載の通信装置。
【請求項８】
移動体に搭載される通信装置によって、前記通信装置の通信部と通信可能に接続される通信端末装置を介して、前記移動体の外部の通信相手装置と通信する通信方法であって、
前記通信装置の記憶部に、前記通信相手装置に提供可能な提供可能情報の送信の可否を表すプライバシー設定情報を記憶する記憶ステップと、
前記通信部を介して前記通信端末装置と前記通信相手装置との通信を制御する制御ステップとを備え、
前記制御ステップは、
前記通信相手装置からの着信を検出すると、予め定める自動応答処理を行うか否かを判断する応答判断ステップと、
前記自動応答処理を行うと判断した場合、前記記憶部に記憶される前記プライバシー設定情報に基づいて、前記通信相手装置に送信する前記提供可能情報を決定する決定ステップと、
前記決定ステップで決定した前記提供可能情報を、前記通信部から前記通信端末装置を介して前記通信相手装置に送信させる送信ステップとを備えることを特徴とする通信方法。
【発明の詳細な説明】
【技術分野】
【０００１】
本発明は、通信装置および通信方法に関する。
【背景技術】
【０００２】
たとえば、自動車などの車両の運転中に、車両内の携帯電話機に着信があったときなどに、運転手が携帯電話機を手に持たずに通話する、いわゆるハンズフリー通話を行うことを可能にする通信装置がある（たとえば、特許文献１〜３参照）。
【０００３】
特許文献１〜３に開示される通信装置は、通信装置の使用者である運転手が発信者に応答することができない場合には、運転手が通信装置を操作しなくても発信者に応答する、いわゆる自動応答処理を行う。また、特許文献３に開示される通信装置は、自動応答処理において、現在地および目的地などの車両の運行状況に関する情報を発信者側の装置である通信相手装置に送信する。
【先行技術文献】
【特許文献】
【０００４】
【特許文献１】特開平１０−２９４９６５号公報
【特許文献２】特開２００３−５１８９６号公報
【特許文献３】特開２００４−３１２０５５号公報
【発明の概要】
【発明が解決しようとする課題】
【０００５】
特許文献３に開示される通信装置では、通信装置の使用者の意向に関わらず、車両の運行状況に関する情報が通信相手装置に送信される。したがって、使用者が通信相手装置に送信したくない情報であっても、通信相手装置に送信されてしまうという問題がある。
【０００６】
本発明の目的は、使用者による操作を伴わずに通信相手装置に情報を送信するときに、通信相手装置への情報の送信を制限することができる通信装置および通信方法を提供することである。
【課題を解決するための手段】
【０００７】
本発明の通信装置は、移動体に搭載される通信装置であって、通信端末装置と通信可能に接続され、通信端末装置を介して、移動体の外部の通信相手装置と通信可能な通信部と、通信部を介して通信端末装置と通信相手装置との通信を制御する制御部と、通信相手装置に提供可能な提供可能情報の送信の可否を表すプライバシー設定情報を記憶する記憶部とを備え、制御部は、通信相手装置からの着信を検出すると、予め定める自動応答処理を行うか否かを判断し、自動応答処理を行うと判断した場合、記憶部に記憶されるプライバシー設定情報に基づいて、通信相手装置に送信する提供可能情報を決定し、決定した提供可能情報を、通信部から通信端末装置を介して通信相手装置に送信させることを特徴とする。
【０００８】
本発明の通信方法は、移動体に搭載される通信装置によって、通信装置の通信部と通信可能に接続される通信端末装置を介して、移動体の外部の通信相手装置と通信する通信方法であって、通信装置の記憶部に、通信相手装置に提供可能な提供可能情報の送信の可否を表すプライバシー設定情報を記憶する記憶ステップと、通信部を介して通信端末装置と通信相手装置との通信を制御する制御ステップとを備え、制御ステップは、通信相手装置からの着信を検出すると、予め定める自動応答処理を行うか否かを判断する応答判断ステップと、自動応答処理を行うと判断した場合、記憶部に記憶されるプライバシー設定情報に基づいて、通信相手装置に送信する提供可能情報を決定する決定ステップと、決定ステップで決定した提供可能情報を、通信部から通信端末装置を介して通信相手装置に送信させる送信ステップとを備えることを特徴とする。
【発明の効果】
【０００９】
本発明の通信装置によれば、制御部は、通信相手装置からの着信を検出して、自動応答処理を行うと判断した場合、記憶部に記憶されるプライバシー設定情報に基づいて、通信相手装置に送信する提供可能情報を決定して、通信部から通信端末装置を介して通信相手装置に送信させる。プライバシー設定情報は、通信相手装置に提供可能な提供可能情報の送信の可否を表す。したがって、自動応答処理において、使用者による操作を伴わずに通信相手装置に提供可能情報を送信するときに、通信相手装置への提供可能情報の送信を制限することができる。
【００１０】
本発明の通信方法によれば、制御ステップでは、応答判断ステップにおいて、通信相手装置からの着信を検出して、自動応答処理を行うと判断した場合、決定ステップにおいて、記憶部に記憶されるプライバシー設定情報に基づいて、通信相手装置に送信する提供可能情報を決定して、送信ステップにおいて、通信部から通信端末装置を介して通信相手装置に送信させる。プライバシー設定情報は、通信相手装置に提供可能な提供可能情報の送信の可否を表す。したがって、自動応答処理において、使用者による操作を伴わずに通信相手装置に提供可能情報を送信するときに、通信相手装置への提供可能情報の送信を制限することができる。
【図面の簡単な説明】
【００１１】
【図１】本発明の実施の一形態である通信装置１の構成を示すブロック図である。
【図２】ＴＥＬアプリ実行部１１の構成を示すブロック図である。
【図３】ＴＥＬアプリ実行部１１の応答処理に関する処理手順を示すフローチャートである。
【図４】ＴＥＬアプリ実行部１１の応答処理に関する処理手順を示すフローチャートである。
【図５】ＴＥＬアプリ実行部１１の応答処理に関する処理手順を示すフローチャートである。
【図６】ＴＥＬアプリ実行部１１の応答処理に関する処理手順を示すフローチャートである。
【発明を実施するための形態】
【００１２】
図１は、本発明の実施の一形態である通信装置１の構成を示すブロック図である。通信装置１は、移動体３に搭載される移動体用通信装置である。本実施の形態では、移動体３は、自動車などの車両であり、通信装置１は、車載用通信装置である。
【００１３】
本実施の形態の通信装置１は、現在地から目的地までの経路案内などのナビゲーションの機能を有するカーナビゲーション装置である。通信装置１の外部であって、移動体３の内部には、音声出力部４１および操作部４２が設けられる。
【００１４】
通信装置１は、たとえば近距離無線通信などの無線通信によって、通信端末装置２と通信可能に構成される。本実施の形態では、通信装置１は、近距離無線通信規格であるブルートゥース（Bluetooth（登録商標））を利用して、通信端末装置２と無線通信可能に構成される。通信装置１は、有線通信によって、通信端末装置２と通信可能に構成されてもよい。
【００１５】
通信装置１は、主制御部１０、アドレスブック情報記憶部３１および地図データ記憶部３２を備えて構成される。主制御部１０は、電話（telephone；略称：ＴＥＬ）アプリ実行部１１、ナビアプリ実行部１２およびカメラアプリ実行部１３を備える。ＴＥＬアプリ実行部１１は、応答データ処理部２１を備える。ＴＥＬアプリ実行部１１の詳細な構成については後述する。
【００１６】
通信端末装置２は、たとえば、携帯電話機またはスマートフォンなどの携帯型通信装置によって実現される。通信端末装置２は、たとえば、移動体３の運転手などの使用者によって携帯されて、移動体３に搭載される。通信端末装置２は、電話網またはインターネット網などを介して、移動体３の外部の通信相手装置４と無線通信可能に構成される。
【００１７】
通信相手装置４は、通信端末装置２と通信可能な通信装置である。通信相手装置４は、たとえば、携帯電話機もしくはスマートフォンなどの携帯型通信装置、加入電話装置、またはインターネットプロトコル（Internet Protocol；略称：ＩＰ）電話装置によって実現される。
【００１８】
通信端末装置２は、通信相手装置４から着信があると、着信があったことを表す着信信号を通信装置１のＴＥＬアプリ実行部１１に送信する。着信信号は、通信相手装置４に関する情報である発信者情報を含む。発信者情報は、たとえば、通信相手装置４を識別する識別情報、具体的には、通信相手装置４の電話番号、電子メールアドレスなどである。
【００１９】
通信端末装置２は、通信相手装置４から音声データを受信すると、受信した音声データを通信装置１のＴＥＬアプリ実行部１１に送信する。通信端末装置２は、通信相手装置４によって、通信相手装置４との通信が切断されると、通信が切断されたことを表す切断信号をＴＥＬアプリ実行部１１に送信する。
【００２０】
通信装置１は、不図示のスピーカおよびマイクを備える。スピーカおよびマイクは、たとえば、使用者の耳または頭部に装着可能なヘッドセットのイヤホンおよびマイクとして使用されるイヤホン・マイク型に構成されてもよいし、スピーカとマイクとがセットになって、使用者の周辺に備え付けられて使用されるスピーカ・マイク型に構成されてもよい。このように構成されるスピーカおよびマイクを使用することによって、使用者が通信端末装置２を手に持たずに、すなわち把持せずに通話する、いわゆるハンズフリー通話を行うことができる。
【００２１】
通信装置１の主制御部１０は、たとえば、中央演算処理装置（Central Processing Unit；略称：ＣＰＵ）と、書き込み可能なＲＡＭ（Random Access Memory）などのメモリとによって構成される。メモリは、主制御部１０の制御プログラムを記憶する。ＣＰＵが、メモリに記憶されている制御プログラムを実行することによって、ＴＥＬアプリ実行部１１、ナビアプリ実行部１２およびカメラアプリ実行部１３の各機能が実現される。
【００２２】
アドレスブック情報記憶部３１および地図データ記憶部３２は、それぞれ、たとえばハードディスクドライブ（Hard Disk Drive；略称：ＨＤＤ）装置または半導体メモリなどの記憶装置によって実現される。
【００２３】
アドレスブック情報記憶部３１は、アドレスブック情報を記憶する。アドレスブック情報は、個人、会社および店などの登録対象に関する情報である。アドレスブック情報には、登録対象のアドレス情報が、登録対象毎に記憶されている。アドレス情報は、登録対象の名称および連絡先の少なくとも一方を含む。アドレスブック情報の一例を表１に示す。表１では、アドレスブック情報に記憶される情報の中から、１つの登録対象に関する情報を抜き出して示す。
【００２４】
【表１】
2014230197.tif 000003
【００２５】
表１に示すように、アドレスブック情報は、１つの登録対象に対して、たとえば、登録対象の名称、ならびに登録対象の連絡先、具体的には電話番号および住所を含む。アドレスブック情報は、さらに、プライバシー設定情報を含む。プライバシー設定情報は、登録対象に関連付けて、アドレスブック情報に記憶される。プライバシー設定情報は、必ずしも全ての登録対象に対して設定される必要はない。
【００２６】
プライバシー設定情報は、通信相手装置４に提供可能な情報である提供可能情報の、通信相手装置４への送信の可否を表す。提供可能情報は、本実施の形態では、移動体３の運転手に関する情報（以下「運転手情報」という場合がある）である。
【００２７】
運転手情報は、たとえば表１に示すように、「現在地」の名称で示される現在地情報、「目的地」の名称で示される目的地情報、「到着予定時刻」の名称で示される到着予定時刻情報、および「カメラ画像」の名称で示されるカメラ画像情報を含む。現在地情報は、移動体３の現在地を表す。目的地情報は、移動体３の目的地を表す。到着予定時刻情報は、移動体３の目的地への到着予定時刻を表す。カメラ画像情報は、移動体３に搭載される不図示のカメラで撮像された画像（以下「カメラ画像」という場合がある）を表す。
【００２８】
カメラ画像情報は、移動体３に関係する画像情報に相当する。カメラ画像を撮像するカメラは、たとえば、移動体３の外部の画像を撮像するように設置される。移動体３が自動車である場合、カメラは、たとえばルームミラーの背面側に、自動車の前方を向くように設置される。この場合、カメラ画像は、移動体３である自動車の進行方向前方の画像となる。カメラ画像は、これに限定されるものではなく、たとえば、カメラが自動車の後方を向くように車体に取付けられるリアカメラである場合、自動車の進行方向後方の画像となる。
【００２９】
プライバシー設定情報は、通信相手装置４に応じて設定される。本実施の形態のように、プライバシー設定情報がアドレスブック情報に記憶される場合、プライバシー設定情報は、通信相手装置４の使用者となる登録対象に応じて設定されることによって、通信相手装置４に応じて設定される。
【００３０】
プライバシー設定情報は、発信者となる登録対象に拠らず共通の設定でもよいし、発信者毎に細かく設定できてもよい。たとえば、プライバシー設定情報は、Ａさんには、現在地情報と目的地情報とを公開する、すなわち送信可能とするが、Ｂさんには目的地情報のみを公開、すなわち送信可能とし、現在地情報は非公開、すなわち送信不可能とするように、発信者毎に設定されてもよい。
【００３１】
本実施の形態では、プライバシー設定情報は、通信装置１の使用者によって、登録対象毎に設定可能である。またアドレスブック情報において、複数の登録対象が１つのグループとして分類されて記憶される場合、プライバシー設定情報は、グループ毎に設定されてもよい。１つの登録対象に対して、個別に設定されたプライバシー設定情報と、所属するグループに対して設定されたプライバシー設定情報とが存在する場合、通信装置１は、個別に設定されたプライバシー設定情報を使用するように構成されてもよいし、所属するグループに対して設定されたプライバシー設定情報を使用するように構成されてもよい。
【００３２】
アドレスブック情報は、たとえば音声受信部２２を介して、通信端末装置２から取得される。通信端末装置２から取得された段階では、アドレスブック情報は、プライバシー設定情報を含んでもよいし、含まなくてもよい。
【００３３】
プライバシー設定情報は、通信装置１の使用者が通信端末装置２を操作することによって、通信端末装置２においてアドレスブック情報に記憶されてもよいし、通信装置１の使用者が操作部４２を操作することによって、通信装置１においてアドレスブック情報に記憶されてもよい。プライバシー設定情報をアドレスブック情報に記憶させる工程は、記憶ステップに相当する。
【００３４】
プライバシー設定情報は、たとえば表１に示すように、通信相手装置４に送信可能な運転手情報の名称と、通信相手装置４に送信不可能な運転手情報の名称とを含む。プライバシー設定情報は、通信相手装置４に送信可能な運転手情報の名称のみを含んでもよいし、通信相手装置４に送信不可能な運転手情報の名称のみを含んでもよい。すなわち、プライバシー設定情報は、通信相手装置４に送信可能な運転手情報の名称、および通信相手装置４に送信不可能な運転手情報の名称のうち、少なくとも一方を含めばよい。プライバシー設定情報は、送信可能か、または送信不可能かによって表されるが、送信が許可されるか、または禁止されるかによって表されてもよい。
【００３５】
応答データ処理部２１は、プライバシー設定情報が、通信相手装置４に送信可能な運転手情報の名称のみを含む場合、プライバシー設定情報に含まれない名称の運転手情報を、通信相手装置４に送信不可能な運転手情報であると判断する。応答データ処理部２１は、プライバシー設定情報が、通信相手装置４に送信不可能な運転手情報の名称のみを含む場合、プライバシー設定情報に含まれない名称の運転手情報を、通信相手装置４に送信可能な運転手情報であると判断する。
【００３６】
アドレスブック情報記憶部３１は、ＴＥＬアプリ実行部１１、具体的には応答データ処理部２１によって、アドレスブック情報の書込み処理および読出し処理を実行可能に構成される。
【００３７】
地図データ記憶部３２は、地図データを記憶する。地図データは、たとえば、移動体３の現在地およびその周辺地域を含む地図を表すデータ、移動体３の目的地およびその周辺地域を含む地図を表すデータを含む。地図データ記憶部３２は、ナビアプリ実行部１２によって、地図データの書込み処理および読出し処理を実行可能に構成される。
【００３８】
ＴＥＬアプリ実行部１１は、ＴＥＬアプリを実行する。ここで、「ＴＥＬアプリ」とは、電話の機能を実現するアプリケーションソフトウェア（以下、単に「アプリ」という場合がある）である。
【００３９】
ナビアプリ実行部１２は、ナビアプリを実行する。ここで、「ナビアプリ」とは、現在地から目的地までの経路案内などのナビゲーションの機能を実現するアプリである。目的地は、たとえば、移動体３の運転手によって設定される。
【００４０】
カメラアプリ実行部１３は、カメラアプリを実行する。ここで、「カメラアプリ」とは、不図示のカメラによって対象物を撮像し、撮像した画像のデータを加工するカメラの機能を実現するアプリである。カメラは、たとえば移動体３の内部に、移動体３の外部を撮像可能に搭載される。
【００４１】
ＴＥＬアプリ実行部１１は、主制御部１０を構成するナビアプリ実行部１２およびカメラアプリ実行部１３と電気的に接続されている。ＴＥＬアプリ実行部１１は、ナビアプリ実行部１２と互いに情報の授受を行う。
【００４２】
たとえば、ＴＥＬアプリ実行部１１は、地図データ記憶部３２に記憶されている地図データを取得する要求を表す地図データ取得要求信号をナビアプリ実行部１２に与える。ナビアプリ実行部１２は、ＴＥＬアプリ実行部１１から地図データ取得要求信号が与えられると、与えられた地図データ取得要求信号に基づいて、地図データ記憶部３２に記憶されている地図データを読出す。ナビアプリ実行部１２は、読出した地図データをＴＥＬアプリ実行部１１に与える。これによって、ＴＥＬアプリ実行部１１は、地図データ記憶部３２に記憶されている地図データを取得することができる。
【００４３】
ＴＥＬアプリ実行部１１は、カメラアプリ実行部１３と互いに情報の授受を行う。たとえば、ＴＥＬアプリ実行部１１は、不図示のカメラによって撮像された画像のデータを取得する要求を表す画像データ取得要求信号をカメラアプリ実行部１３に与える。カメラアプリ実行部１３は、ＴＥＬアプリ実行部１１から画像データ取得要求信号が与えられると、与えられた画像データ取得要求信号に基づいて、不図示のカメラによって撮像された画像のデータをＴＥＬアプリ実行部１１に与える。これによって、ＴＥＬアプリ実行部１１は、不図示のカメラによって撮像された画像のデータであるカメラ画像情報を取得することができる。
【００４４】
ＴＥＬアプリ実行部１１は、アドレスブック情報記憶部３１と電気的に接続されている。ＴＥＬアプリ実行部１１は、アドレスブック情報記憶部３１に、アドレスブック情報を記憶させることが可能である。また、ＴＥＬアプリ実行部１１は、アドレスブック情報記憶部３１に記憶されているアドレスブック情報を読出すことが可能である。
【００４５】
ＴＥＬアプリ実行部１１は、音声出力部４１および操作部４２と電気的に接続されている。音声出力部４１は、たとえばスピーカによって実現される。音声出力部４１は、ＴＥＬアプリ実行部１１から与えられる音声データが表す音声を出力する。
【００４６】
操作部４２は、たとえば、使用者によって操作されるタッチパネル、リモートコントローラ、操作ボタン、または音声認識機能を有する音声入力装置などによって実現される。操作部４２は、たとえば、通話を開始するときに操作する通話ボタンを備える。操作部４２は、使用者が、数字情報、文字情報およびＴＥＬアプリ実行部１１への指示情報などの情報を入力するときに用いられる。使用者によって操作部４２が操作されると、使用者の操作に応じた情報を表す操作信号が、ＴＥＬアプリ実行部１１に与えられる。したがって通信装置１の使用者は、操作部４２を操作することによって、その操作に応じた情報をＴＥＬアプリ実行部１１に与えることができる。
【００４７】
図２は、ＴＥＬアプリ実行部１１の構成を示すブロック図である。図２では、通信端末装置２、ナビアプリ実行部１２、カメラアプリ実行部１３、アドレスブック情報記憶部３１、音声出力部４１および操作部４２を併せて示す。
【００４８】
ＴＥＬアプリ実行部１１は、応答処理制御部２０、応答データ処理部２１、音声受信部２２、音声認識部２３、音声生成部２４および音声送信部２５を備えて構成される。応答処理制御部２０は、制御部に相当する。音声受信部２２および音声送信部２５は、通信部に相当する。アドレスブック情報記憶部３１は、記憶部に相当する。
【００４９】
応答処理制御部２０は、ＴＥＬアプリ実行部１１を構成する応答データ処理部２１、音声受信部２２、音声認識部２３、音声生成部２４および音声送信部２５、ならびに音声出力部４１および操作部４２と電気的に接続されている。
【００５０】
応答処理制御部２０は、不図示のメモリを内蔵する。メモリは、ＴＥＬアプリ実行部１１による応答処理を実行する制御プログラムを記憶する。応答処理制御部２０は、内蔵するメモリに記憶される制御プログラムに従って、応答データ処理部２１、音声受信部２２、音声認識部２３、音声生成部２４および音声送信部２５を統括的に制御する。応答処理制御部２０は、音声受信部２２および音声送信部２５を介して、通信端末装置２と通信相手装置４との通信を制御する。
【００５１】
応答データ処理部２１は、ナビアプリ実行部１２、カメラアプリ実行部１３およびアドレスブック情報記憶部３１と電気的に接続されている。応答データ処理部２１は、不図示のメモリを内蔵する。メモリは、通信相手装置４に送信可能な運転手情報を表す文字データである運転手情報テキストデータを予め記憶する。応答データ処理部２１は、内蔵するメモリに記憶される運転手情報テキストデータを用いて、後述するマッチング処理を行う。
【００５２】
応答データ処理部２１は、ナビアプリ実行部１２から、ナビアプリ実行部１２で取扱われる情報、たとえば現在地情報、目的地情報などを取得可能である。応答データ処理部２１は、カメラアプリ実行部１３から、カメラアプリ実行部１３で取扱われる情報、たとえば不図示のカメラで撮像されたカメラ画像のデータであるカメラ画像情報を取得可能である。
【００５３】
音声受信部２２および音声送信部２５は、通信端末装置２と通信可能に接続される。通信装置１は、音声受信部２２および音声送信部２５を介して、通信端末装置２と通信可能に接続される。通信装置１、具体的には音声受信部２２および音声送信部２５は、通信端末装置２を介して、移動体３の外部の通信相手装置４と通信可能である。
【００５４】
本実施の形態では、音声受信部２２および音声送信部２５は、近距離無線通信などの無線通信によって、通信端末装置２と通信可能に接続される。具体的には、音声受信部２２および音声送信部２５は、近距離無線通信規格であるブルートゥース（Bluetooth（登録商標））を利用して、通信端末装置２と無線通信可能に接続される。音声受信部２２および音声送信部２５は、有線通信によって、通信端末装置２と通信可能に接続されてもよい。
【００５５】
音声受信部２２は、通信端末装置２から音声データを受信すると、受信した音声データを応答処理制御部２０に与える。応答処理制御部２０は、音声受信部２２から与えられた音声データを音声認識部２３に与える。音声受信部２２は、通信端末装置２から着信信号を受信すると、受信した着信信号を応答処理制御部２０に与える。音声受信部２２は、通信端末装置２から切断信号を受信すると、受信した切断信号を応答処理制御部２０に与える。
【００５６】
音声認識部２３は、応答処理制御部２０から与えられる音声データを解析してテキストデータに変換し、テキストデータとして認識する。音声認識部２３は、得られたテキストデータを応答処理制御部２０に与える。応答処理制御部２０は、音声認識部２３から与えられるテキストデータを音声生成部２４に与える。
【００５７】
音声生成部２４は、応答処理制御部２０から与えられるテキストデータを音声データに変換することによって、音声送信部２５から送信する音声データを生成する。音声生成部２４は、生成した音声データを、応答処理制御部２０を介して音声送信部２５に与える。
【００５８】
音声送信部２５は、音声生成部２４で生成されて、応答処理制御部２０から与えられる音声データを通信端末装置２に送信する。これによって、音声送信部２５は、通信端末装置２を介して、通信相手装置４に、音声データを送信する。
【００５９】
図３〜図６は、ＴＥＬアプリ実行部１１の応答処理に関する処理手順を示すフローチャートである。図３〜図６に示すフローチャートの各処理は、ＴＥＬアプリ実行部１１を構成する応答処理制御部２０、応答データ処理部２１、音声受信部２２、音声認識部２３、音声生成部２４および音声送信部２５によって実行される。
【００６０】
図３〜図６に示すステップａ１〜ステップａ２１は、制御ステップを構成する。制御ステップでは、通信部に相当する音声受信部２２および音声送信部２５を介して、通信端末装置２と通信相手装置４との通信が制御される。具体的には、以下のようにして図３〜図６に示すフローチャートの各処理が実行される。図３〜図６に示すフローチャートは、通信装置１に電力が供給されると開始され、図３のステップａ１に移行する。
【００６１】
ステップａ１において、応答処理制御部２０は、通信相手装置４から通信端末装置２に着信があったか否かを判断する。通信相手装置４から通信端末装置２に着信があったか否かは、応答処理制御部２０が、音声受信部２２を介して通信端末装置２から着信信号を受信したか否かによって判断する。
【００６２】
応答処理制御部２０は、音声受信部２２を介して通信端末装置２から着信信号を受信した場合、通信相手装置４から通信端末装置２に着信があったと判断して、ステップａ２に移行する。応答処理制御部２０は、音声受信部２２を介して通信端末装置２から着信信号を受信していない場合、通信相手装置４から通信端末装置２に着信がないと判断して、着信があるまで待機する。
【００６３】
ステップａ２において、応答処理制御部２０は、通信相手装置４に対して、予め定める自動応答処理を行うか否かを判断する。ここで、自動応答処理とは、通信装置１の使用者、たとえば移動体３の運転手による操作を伴わずに、通信相手装置４に応答する処理をいう。ステップａ２は、応答判断ステップに相当する。
【００６４】
ステップａ２において、応答処理制御部２０は、たとえば、音声受信部２２を介して通信端末装置２から着信信号を受信した時点から、予め定める時間（以下「応答待機時間」という場合がある）内に、使用者によって操作部４２の通話ボタンが操作されたことを検出したか否かに基づいて、自動応答処理を行うか否かを判断する。
【００６５】
具体的には、応答処理制御部２０は、操作部４２の通話ボタンが操作されたことを応答待機時間内に検出しなかった場合、自動応答処理を行うと判断して、ステップａ３に移行する。応答処理制御部２０は、操作部４２の通話ボタンが操作されたことを応答待機時間内に検出した場合、自動応答処理を行わないと判断して、ステップａ４に移行する。たとえば、着信時に運転手がハンズフリー通話で発信者に応答することができない場合、操作部４２の通話ボタンが操作されず、ステップａ３に移行する。
【００６６】
ステップａ３において、応答処理制御部２０は、自動応答処理を開始し、通信相手装置４との通信を確立する。このようにして通信装置１は、自動的に、具体的には運転手などの通信装置１の使用者の操作を伴わずに、発信者側の装置である通信相手装置４と接続する。
【００６７】
応答処理制御部２０は、自動応答処理を開始すると、予め定める音声案内用の音声データ（以下「音声案内用音声データ」という場合がある）を通信相手装置４に送信して、発信者に現在の状況および取得る対応などを案内する音声案内処理を行う。音声案内用音声データは、たとえば、「今運転中のため通話できません。私についての情報が必要でしたら、そのまま聞きたいことを話しかけて下さい。」という音声を表す音声データである。音声案内用音声データは、これに限定されるものではない。
【００６８】
音声案内用音声データは、応答処理制御部２０に内蔵される不図示のメモリに予め記憶されている。応答処理制御部２０は、自動応答処理を開始すると、メモリから音声案内用音声データを読出し、音声送信部２５に与える。音声送信部２５は、応答処理制御部２０から与えられた音声案内用音声データを通信端末装置２に送信し、通信端末装置２を介して通信相手装置４に送信する。以上のステップａ３の処理が終了すると、ステップａ５に移行する。
【００６９】
ステップａ４において、応答処理制御部２０は、ハンズフリー通話のための処理（以下「ハンズフリー通話処理」という場合がある）を開始し、通信相手装置４との通信を確立する。通信相手装置４との通信が確立されると、通信端末装置２を介して、音声受信部２２および音声送信部２５と通信相手装置４との間で、音声データの授受が行われる。これによって、通信装置１の使用者は、通信装置１および通信端末装置２を介して、通信相手装置４の使用者と音声通話を行うことができる。応答処理制御部２０は、ハンズフリー通話処理を開始すると、図６のステップａ１８に移行する。
【００７０】
ステップａ５において、応答処理制御部２０は、音声受信部２２が、通信端末装置２を介して、通信相手装置４からの音声データを受信したか否かを判断する。音声受信部２２は、通信端末装置２から音声データを受信すると、受信した音声データを応答処理制御部２０に与える。応答処理制御部２０は、音声受信部２２から音声データが与えられた場合、音声受信部２２が通信端末装置２から音声データを受信したと判断して、ステップａ６に移行する。応答処理制御部２０は、音声受信部２２から音声データが与えられていない場合、音声受信部２２が通信端末装置２から音声データを受信していないと判断して、図５のステップａ１４に移行する。
【００７１】
前述のステップａ３における音声案内処理に応答して、発信者である通信相手装置４の使用者が、たとえば「今どこですか。」と声を発した場合、その音声データが、通信端末装置２を介して音声受信部２２に受信される。この場合、ステップａ５において、通信相手装置４からの音声データを受信したと判断され、ステップａ６に移行する。
【００７２】
ステップａ６において、応答処理制御部２０は、音声受信部２２から与えられた音声データを、音声認識部２３を用いて、テキストデータとして認識する。具体的には、応答処理制御部２０は、音声受信部２２から与えられた音声データを音声認識部２３に与える。音声認識部２３は、応答処理制御部２０から与えられた音声データを解析してテキストデータに変換し、テキストデータとして認識する。音声認識部２３は、得られたテキストデータ（以下「受信音声テキストデータ」という場合がある）を応答処理制御部２０に与える。ステップａ６は、音声認識ステップに相当する。
【００７３】
発信者である通信相手装置４の使用者が、音声によって質問への回答を要求した場合、ステップａ６の処理によって、発信者の音声による要求事項、具体的には質問の内容が、テキストデータとして認識される。たとえば、前述のように、発信者である通信相手装置４の使用者が、たとえば「今どこですか。」と声を発した場合、ステップａ６での音声認識部２３による音声認識処理によって、発信者の質問の内容が認識される。ステップａ６の処理が終了すると、図４のステップａ７に移行する。
【００７４】
図４のステップａ７において、応答データ処理部２１は、ステップａ６で認識された受信音声テキストデータと、不図示のメモリに予め記憶される運転手情報テキストデータとのマッチング処理を行う。マッチング処理は、以下のようにして行われる。
【００７５】
応答処理制御部２０は、ステップａ６で認識された受信音声テキストデータを応答データ処理部２１に与える。応答データ処理部２１は、応答処理制御部２０から与えられた受信音声テキストデータと一致する運転手情報テキストデータがあるか否かを判断する。
【００７６】
応答データ処理部２１は、受信音声テキストデータと一致する運転手情報テキストデータがあると判断すると、一致すると判断した運転手情報テキストデータを応答処理制御部２０に与える。応答データ処理部２１は、受信音声テキストデータと一致する運転手情報テキストデータが複数あると判断した場合、一致する文字の数が最も多い運転手情報テキストデータを応答処理制御部２０に与える。
【００７７】
応答データ処理部２１は、受信音声テキストデータと一致する運転手情報テキストデータがないと判断すると、一致する運転手情報テキストデータがないことを表す情報（以下「不一致情報」という場合がある）を応答処理制御部２０に与える。応答処理制御部２０は、以上のようにしてマッチング処理を行うと、ステップａ８に移行する。
【００７８】
ステップａ８において、応答処理制御部２０は、ステップａ７のマッチング処理の結果に基づいて、受信音声テキストデータと一致する運転手情報テキストデータがあるか否かを判断する。応答処理制御部２０は、ステップａ７で応答データ処理部２１から運転手情報テキストデータが与えられた場合、受信音声テキストデータと一致する運転手情報テキストデータがあると判断して、ステップａ９に移行する。応答処理制御部２０は、ステップａ７で応答データ処理部２１から不一致情報が与えられた場合、受信音声テキストデータと一致する運転手情報テキストデータがないと判断して、ステップａ１０に移行する。
【００７９】
ステップａ８において、受信音声テキストデータと一致する運転手情報テキストデータがあるか否かを判断することは、通信相手装置４から運転手情報の送信が要求されたか否かを判断することに相当する。すなわちステップａ８は、要求判断ステップに相当する。
【００８０】
ステップａ９において、応答処理制御部２０は、ステップａ７のマッチング処理で応答データ処理部２１から与えられた運転手情報テキストデータで表される運転手情報が、プライバシー設定による禁止情報か否かを判断する。ここで、「プライバシー設定による禁止情報」とは、前述のプライバシー設定情報によって、送信不可能な運転手情報に設定された運転手情報をいう。
【００８１】
具体的には、応答処理制御部２０は、まず、音声受信部２２から与えられる着信信号に含まれる発信者情報に基づいて、該当する発信者のアドレスブック情報をアドレスブック情報記憶部３１から取得する。応答処理制御部２０は、取得したアドレスブック情報に含まれるプライバシー設定情報に基づいて、ステップａ７のマッチング処理で応答データ処理部２１から与えられた運転手情報テキストデータで表される運転手情報が、プライバシー設定による禁止情報か否かを判断する。
【００８２】
ステップａ９において、運転手情報テキストデータで表される運転手情報が、プライバシー設定による禁止情報であると判断された場合は、ステップａ１０に移行し、運転手情報テキストデータで表される運転手情報が、プライバシー設定による禁止情報でないと判断された場合は、ステップａ１１に移行する。ステップａ９は、決定ステップおよび送信判断ステップに相当する。
【００８３】
ステップａ１０において、応答処理制御部２０は、発信者の要求に応答できない旨、すなわち発信者からの質問に回答できない旨を発信者に送信する。具体的には、応答処理制御部２０は、発信者側の装置である通信相手装置４に、回答できない旨の音声データを、音声送信部２５および通信端末装置２を介して送信する。
【００８４】
さらに具体的には、応答処理制御部２０は、回答できない旨の音声データを音声送信部２５に与えて、音声送信部２５から通信端末装置２に送信させ、通信端末装置２から通信相手装置４に送信させる。
【００８５】
回答できない旨の音声データは、たとえば「お答えできません」という音声を表す。回答できない旨の音声データは、これに限定されるものではない。たとえば、発信者である通信相手装置４の使用者が、「今どこですか。」と現在地を尋ねる質問をしたときに、現在地情報がプライバシー設定情報で送信不可能な情報、すなわちプライバシー設定による禁止情報となっていた場合、回答できない旨の音声データは、「現在地は不明です。」という音声を表すものであってもよい。
【００８６】
このように、回答できない旨は、「お答えできません。」といった直接的な表現で伝えるのではなく、「現在地は不明です。」といった間接的な表現で伝えることが好ましい。これによって、発信者の質問事項がプライバシー設定による禁止情報となっていることを発信者に悟られることを防ぎ、発信者に不快な思いをさせることを防ぐことができる。
【００８７】
また、現在地情報がプライバシー設定情報で送信不可能な情報となっている場合には、目的地情報についても送信不可能な情報として取扱い、目的地および目的地に関する質問に回答しないようにすることが好ましい。たとえば、発信者が「どこへ行かれますか。」と目的地を尋ねる質問をしたときでも、「現在地は不明です。」などと質問とは無関係な回答をしてもよい。これによって、目的地から現在地が類推されることを防ぐことができる。ステップａ１０の処理が終了すると、図３のステップａ５に戻る。
【００８８】
ステップａ１１において、応答処理制御部２０は、発信者の要求に応答する、すなわち発信者からの質問に回答するために必要な情報を、応答データ処理部２１を介して取得する。具体的には、応答処理制御部２０は、必要な情報として、ステップａ７のマッチング処理で応答データ処理部２１から与えられた運転手情報テキストデータに対応する運転手情報を、応答データ処理部２１を介して取得する。応答データ処理部２１は、応答処理制御部２０から与えられる指示に従って、ナビアプリ実行部１２またはカメラアプリ実行部１３などから、必要な運転手情報を取得する。
【００８９】
たとえば、必要な運転手情報が、目的地を表す目的地情報である場合、応答データ処理部２１は、ナビアプリ実行部１２から目的地情報を取得する。応答データ処理部２１は、取得した目的地情報を応答処理制御部２０に与える。
【００９０】
ステップａ１２において、応答処理制御部２０は、ステップａ１１で取得した情報から、音声生成部２４によって音声データを生成する。具体的には、応答処理制御部２０は、ステップａ１１で取得した情報を音声生成部２４に与える。音声生成部２４は、応答処理制御部２０から与えられた情報を音声データに変換することによって、音声送信部２５から送信する音声データを生成する。音声生成部２４は、生成した音声データを応答処理制御部２０に与える。ステップａ１２の処理が終了すると、ステップａ１３に移行する。
【００９１】
ステップａ１３において、応答処理制御部２０は、ステップａ１２で音声生成部２４によって生成した音声データを、発信者に送信する。具体的には、応答処理制御部２０は、生成した音声データを、音声送信部２５から通信端末装置２を介して、発信者側の装置である通信相手装置４に送信させる。
【００９２】
さらに具体的には、応答処理制御部２０は、ステップａ１２で音声生成部２４によって生成されて与えられた音声データを音声送信部２５に与え、音声送信部２５によって通信端末装置２に与えて、音声送信部２５から通信端末装置２に送信させ、通信端末装置２から通信相手装置４に送信させる。ステップａ１３は、送信ステップに相当する。
【００９３】
ステップａ１３において、応答処理制御部２０は、音声生成部２４によって生成された音声データを音声送信部２５から送信させるとともに、音声出力部４１から出力させてもよい。これによって、音声送信部２５から送信された音声データの内容を、通信装置１の使用者が確認することができる。ステップａ１３の処理が終了すると、図３のステップａ５に戻る。
【００９４】
図５のステップａ１４において、応答処理制御部２０は、発信者によって、通信相手装置４と通信端末装置２との通信が切断されたか否かを判断する。通信相手装置４と通信端末装置２との通信が切断されたか否かは、応答処理制御部２０が、音声受信部２２を介して通信端末装置２から切断信号を受信したか否かによって判断する。応答処理制御部２０は、音声受信部２２を介して通信端末装置２から切断信号を受信した場合、発信者によって、通信相手装置４と通信端末装置２との通信が切断されたと判断して、ステップａ１７に移行する。応答処理制御部２０は、音声受信部２２を介して通信端末装置２から切断信号を受信していない場合、発信者によって、通信相手装置４と通信端末装置２との通信が切断されていないと判断して、ステップａ１５に移行する。
【００９５】
ステップａ１５において、応答処理制御部２０は、通信装置１の使用者から、通信の切断指示があったか否かを判断する。具体的には、応答処理制御部２０は、操作部４２から、通信を切断する指示を表す切断指示信号が与えられたか否かを判断する。応答処理制御部２０は、切断指示信号が与えられたと判断した場合、通信の切断指示があったと判断して、ステップａ１７に移行する。応答処理制御部２０は、切断指示信号が与えられていないと判断した場合、通信の切断指示がないと判断して、ステップａ１６に移行する。
【００９６】
ステップａ１６において、応答処理制御部２０は、前回、音声データを受信した時点から、予め定める待機時間が経過したか否かを判断する。応答処理制御部２０は、通信相手装置４との通信が確立されてから音声データを受信していない場合は、通信相手装置４との通信が確立された時点から待機時間が経過したか否かを判断する。ステップａ１６において、待機時間が経過したと判断された場合は、ステップａ１７に移行し、待機時間が経過していないと判断された場合は、図３のステップａ５に戻る。
【００９７】
ステップａ１７において、応答処理制御部２０は、自動応答処理を終了する。ステップａ１５またはステップａ１６からステップａ１７に移行した場合は、ステップａ１７において、応答処理制御部２０は、通信相手装置４との通信を切断し、自動応答処理を終了する。自動応答処理が終了すると、図３のステップａ１に戻る。
【００９８】
図６のステップａ１８において、応答処理制御部２０は、発信者によって、通信相手装置４と通信端末装置２との通信が切断されたか否かを判断する。通信端末装置２との通信が切断されたか否かは、応答処理制御部２０が、音声受信部２２を介して通信端末装置２から切断信号を受信したか否かによって判断する。応答処理制御部２０は、音声受信部２２を介して通信端末装置２から切断信号を受信した場合、通信相手装置４によって、通信端末装置２との通信が切断されたと判断して、ステップａ２１に移行する。応答処理制御部２０は、音声受信部２２を介して通信端末装置２から切断信号を受信していない場合、通信相手装置４によって、通信端末装置２との通信が切断されていないと判断して、ステップａ１９に移行する。
【００９９】
ステップａ１９において、応答処理制御部２０は、通信装置１の使用者による通信の切断指示があったか否かを判断する。具体的には、応答処理制御部２０は、操作部４２から切断指示信号が与えられたか否かを判断する。応答処理制御部２０は、切断指示信号が与えられたと判断した場合、通信の切断指示があったと判断して、ステップａ２１に移行する。応答処理制御部２０は、切断指示信号が与えられていないと判断した場合、通信の切断指示がないと判断して、ステップａ２０に移行する。
【０１００】
ステップａ２０において、応答処理制御部２０は、前回、音声データを受信した時点から、予め定める待機時間が経過したか否かを判断する。応答処理制御部２０は、通信相手装置４との通信が確立されてから音声データを受信していない場合は、通信相手装置４との通信が確立された時点から待機時間が経過したか否かを判断する。ステップａ２０において、待機時間が経過したと判断された場合は、ステップａ２１に移行し、待機時間が経過していないと判断された場合は、ステップａ１８に戻る。
【０１０１】
ステップａ２１において、応答処理制御部２０は、ハンズフリー通話処理を終了する。ステップａ１９またはステップａ２０からステップａ２１に移行した場合は、ステップａ２１において、応答処理制御部２０は、通信端末装置２と通信相手装置４との通信を切断し、ハンズフリー通話処理を終了する。ハンズフリー通話処理が終了すると、図３のステップａ１に戻る。
【０１０２】
以上のように本実施の形態では、応答処理制御部２０は、通信相手装置４からの着信を検出して、自動応答処理を行うと判断した場合、アドレスブック情報記憶部３１に記憶されるアドレスブック情報内のプライバシー設定情報に基づいて、通信相手装置４に送信する運転手情報を決定して、音声送信部２５から通信端末装置２を介して通信相手装置４に送信させる。プライバシー設定情報は、通信相手装置４に提供可能な運転手情報の送信の可否を表す。したがって、自動応答処理において、使用者による操作を伴わずに通信相手装置４に運転手情報を送信するときに、通信相手装置４への運転手情報の送信を制限することができる。
【０１０３】
また本実施の形態では、通信相手装置４から要求された運転手情報について、送信の可否が判断される。これによって、通信相手装置４の要求に応えつつ、通信相手装置４への運転手情報の送信を制限することができる。
【０１０４】
また本実施の形態では、プライバシー設定情報は、通信相手装置４に送信可能な運転手情報の名称と、通信相手装置４に送信不可能な運転手情報の名称とを含む。これによって、運転手情報の名称に基づいて、運転手情報の送信の可否を判断することができるので、運転手情報の送信の可否を容易に判断することができる。
【０１０５】
また本実施の形態では、プライバシー設定情報は、登録対象に関連付けて、アドレスブック情報に記憶される。これによって、登録対象に応じてプライバシー設定情報を設定することができる。したがって、通信相手装置が登録対象であるか否か、およびプライバシー設定情報に基づいて、運転手情報の送信を制限することができるので、通信装置１の使用者の利便性を向上させることができる。
【０１０６】
また本実施の形態では、プライバシー設定情報は、通信相手装置４に応じて設定される。これによって、通信相手装置４に応じて、送信する運転手情報を変えることができる。したがって、通信装置１の使用者の利便性を向上させることができる。
【０１０７】
また本実施の形態では、運転手情報は、現在地情報、目的地情報、到着予定時刻情報およびカメラ画像情報のうち、少なくとも１つを含む。これによって、通信相手装置４の使用者に、移動体３の現在地、目的地、目的地への到着予定時刻、およびカメラ画像の少なくとも１つを伝えることができる。したがって、通信相手装置４の使用者の利便性を向上させることができる。
【０１０８】
また本実施の形態では、図３のステップａ６〜図４のステップａ８において、通信相手装置４から送信された音声データから音声認識部２３で認識された受信音声テキストデータを用いて、この受信音声テキストデータと一致する運転手情報テキストデータがあるか否かが判断される。換言すれば、通信相手装置４から送信された音声データを音声認識部２３で認識した認識結果に基づいて、通信相手装置４から運転手情報の送信が要求されたか否かが判断される。
【０１０９】
これによって、通信相手装置４の使用者に、操作ボタンを入力するなどの操作を要求することなく、通信相手装置４の使用者が所望する運転手情報を通信相手装置４に送信することができる。したがって、利便性を向上させることができる。
【０１１０】
以上に述べた本実施の形態では、応答処理制御部２０は、現在地情報として、たとえば現在地を表すテキストデータから生成される音声データを通信相手装置４に送信するように構成される。このような構成に限定されず、応答処理制御部２０は、たとえば、不図示のカメラによって撮像されたカメラ画像を表すカメラ画像情報を、現在地情報として通信相手装置４に送信するように構成されてもよい。この場合、応答処理制御部２０は、応答データ処理部２１によって、カメラアプリ実行部１３からカメラ画像情報を取得する。
【０１１１】
また本実施の形態では、応答処理制御部２０は、提供可能情報である運転手情報を、音声データに変換して通信相手装置４に送信するが、これに限定されず、運転手情報を表すテキストデータを、メールまたはテキストチャットなどで通信相手装置４に送信するように構成されてもよい。
【０１１２】
また本実施の形態では、応答処理制御部２０は、通信相手装置４からの要求を、音声データから認識するように構成されているが、これに限定されず、通信相手装置４から送信されるメールまたはテキストチャットのテキストデータから、通信相手装置４からの要求を認識するように構成されてもよい。
【０１１３】
これらの場合、音声受信部２２および音声送信部２５は、通信端末装置２を介して通信相手装置４との間で、音声データの送受信だけでなく、テキストデータの送受信を行う。
【０１１４】
なお本発明は、その発明の範囲内において、実施の形態を適宜、変形、省略することが可能である。前述の実施の形態では、移動体３が車両である場合について説明したが、移動体３は、車両に限らない。移動体３は、移動可能であり、かつ通信装置１を搭載可能なものであればよい。
【符号の説明】
【０１１５】
１  通信装置、２  通信端末装置、３  移動体、４  通信相手装置、１０  主制御部、１１  ＴＥＬアプリ実行部、１２  ナビアプリ実行部、１３  カメラアプリ実行部、２０  応答処理制御部、２１応答データ処理部、２２  音声受信部、２３  音声認識部、２４  音声生成部、２５  音声送信部、３１  アドレスブック情報記憶部、３２  地図データ記憶部、４１  音声出力部、４２  操作部。
【図１】
2014230197.tif 000004
【図２】
2014230197.tif 000005
【図３】
2014230197.tif 000006
【図４】
2014230197.tif 000007
【図５】
2014230197.tif 000008
【図６】
2014230197.tif 000009